(57)【特許請求の範囲】
【請求項１】
封止部から外部リード棒が突出した複数の白熱ランプが、当該封止部に取り付けられたベースによって連結され、ぞれぞれの白熱ランプの同一方向に位置する外部リード棒が共通する給電端子に接続されてなるランプ装置において、
前記ベースは、前記外部リード棒が突出する封止部の端面に対向し、外部リード棒貫通孔が形成された隔壁と、前記給電端子および前記給電端子に接続された給電線を包含する内部空間とを有し、
前記内部空間につながる前記ベースの端面に、前記給電端子と前記給電線を当該ベースの内部空間に挿入する開口が形成されており、
前記開口は、前記給電端子のみ挿入可能であって、前記給電線が通らない幅狭部を有していることを特徴とするランプ装置。
【請求項２】
前記外部リード棒と前記給電端子が溶接、又は、かしめられていることを特徴とする請求項１に記載のランプ装置。
【請求項３】
前記給電端子と前記給電線が溶接、又は、かしめられていることを特徴とする請求項１に記載のランプ装置。
【発明の詳細な説明】
【技術分野】
【０００１】
本発明は、例えば電子写真複写機、レーザプリンタ、ファクシミリ等におけるトナー像定着装置の加熱ローラ内に配置される熱源用のランプ装置に係わるものである。
【背景技術】
【０００２】
電子写真複写機等において、記録紙上に形成されたトナー像を加熱定着させるための方式として、従来より、加熱ローラとこれに対接配置された加圧ローラとの間に、未定着トナー像が形成された記録紙を通過させることにより、前記未定着トナー像を記録紙に定着させるヒートローラ方式が広く知られている。
【０００３】
このようなヒートローラ方式の加熱ローラは、加熱ローラの内部に熱源用のランプ装置が配置されており、白熱ランプから放射される光によって加熱ローラを所定の温度に加熱して未定着トナー像を記録紙に加熱定着させる構造になっている。
【０００４】
電子写真複写機では、例えば幅広のＡ３サイズの記録紙や、幅狭のＢ５サイズの記録紙を加熱する場合があり、幅の異なる記録紙を一つの加熱ローラで加熱するものである。
このように、幅の異なる記録紙を一つの加熱ローラで加熱する場合、加熱ローラ内に配置される管型ランプは、フィラメントタイプが異なる複数本の管型白熱ランプ、通常は、フィラメントタイプが異なる２本の管型ランプを使用するものである。
【０００５】
そして、複数の管型ランプを１本ごとに取り付ける作業が煩雑であることなどの観点から、互いに並行に配置された複数の管型白熱ランプが連結されてなるランプ装置が使用されている。
【０００６】
図１０は、従来のランプ装置の一例における構成を示す説明図である。図１１は、図１０の断面図である。
従来のランプ装置においては、２つの管型の白熱ランプ１が互いに平行に配置されており、それぞれのランプ１の封止部１１から外部リード棒２が突出しており、それぞれの白熱ランプ１の封止部１１に取り付けられたベース６によって連結され、ぞれぞれの白熱ランプ１の外部リード棒２が共通する給電端子４に接続され、給電端子４には給電線５がかしめられて接続された構造である。
【０００７】
ベース６は、外部リード棒２が突出する封止部１１の端面に対向した位置に隔壁６１が形成されており、この隔壁６１には、外部リード棒２が貫通する外部リード棒貫通孔６２が形成されている。
そして、外部リード棒２は、この外部リード棒貫通孔６２を貫通して、ベース６の内部空間６３に伸び出しており、外部リード棒２と給電端子４を重ねた状態で、ベース６に形成された接続用貫通孔６４の上下から溶接棒を挿入し、外部リード棒２と給電端子４を溶接して、白熱ランプにベースを取り付けるものである。
【０００８】
なお、図では示さないが、外部リード棒２と給電端子４を溶接する以外に、給電端子４に押圧変形部を設けて、外部リード棒２と給電端子４をかしめによって接続された構造のものも存在する。
さらには、給電線５は、給電端子４にかしめ以外に、溶接によって接続された構造のものも存在する。
【０００９】
図１２は、図１０に示すランプ装置であって、給電線５がベース６から伸び出す方向から見たベースの端面側の斜視図である。
図１２では、ベース６の端面には、内部空間６３につながる開口６５が形成されており、この開口６５を利用して、給電端子４と給電線５がベース内に挿入される。
また、この開口６５から給電線５がベース６の外部に伸び出している。
【先行技術文献】
【特許文献】
【００１０】
【特許文献１】特開２００９−４３６５０号公報
【発明の概要】
【発明が解決しようとする課題】
【００１１】
しかしながら、このような構造のランプ装置においては、以下のような問題が生じものである。
このようなランプ装置は、給電線５を電子複写装置等の装置内の給電機構に接続するものであり、その際、給電機構とベース６の位置関係にもよるが、通常は、給電線５を曲げて、給電線５の先端を給電機構に接続するものである。
【００１２】
この場合、図１２に示すように、開口６５は、幅広の給電端子４を挿入するために、長円状の形状であるために、給電線５は矢印方向に大きな自由度をもって動くものであり、この結果、図１０に示す、外部リード棒２と給電端子４の溶接点に応力がかかり、この溶接点が破損し、給電端子４が外部リード棒２から外れるという問題があった。
あるいは、給電線５が給電端子４にかしめられているが、このかしめ部分が変形を起こし、給電線５が給電端子４から外れるという問題があった。
【００１３】
さらには、給電端子４が外部リード棒２にかしめられている場合は、このかしめ部分が変形を起こし、給電端子４が外部リード棒２から外れるという問題があった。
さらには、給電線５が給電端子４に溶接されている場合は、この溶接点が破損し、給電線５が給電端子４から外れるという問題があった。
【００１４】
本発明は、以上のような事情に基づいてなされたものであって、その目的は、給電線の動きをベースによって止めることにより、白熱ランプの外部リードから給電端子が外れることを防止し、さらには、給電端子から給電線が外れることを防止したランプ装置を提供することにある。
【課題を解決するための手段】
【００１５】
請求項１記載のランプ装置は、封止部から外部リード棒が突出した複数の白熱ランプが、当該封止部に取り付けられたベースによって連結され、ぞれぞれの白熱ランプの同一方向に位置する外部リード棒が共通する給電端子に接続されてなるランプ装置において、前記ベースは、前記外部リード棒が突出する封止部の端面に対向し、外部リード棒貫通孔が形成された隔壁と、前記給電端子および前記給電端子に接続された給電線を包含する内部空間とを有し、前記内部空間につながる前記ベースの端面に、前記給電端子と前記給電線を当該ベースの内部空間に挿入する開口が形成されており、前記開口は、前記給電端子のみ挿入可能であって、前記給電線が通らない幅狭部を有していることを特徴とする。
【００１６】
請求項２に記載のランプ装置は、請求項１に記載のランプ装置であって、特に、前記外部リード棒と前記給電端子が溶接、又は、かしめられていることを特徴とする。
【００１７】
請求項３に記載のランプ装置は、請求項１に記載のランプ装置であって、特に、前記給電端子と前記給電線が溶接、又は、かしめられていることを特徴とする。
【発明の効果】
【００１８】
本発明のランプ装置によれば、複数の白熱ランプが封止部に取り付けられたベースによって連結されており、このベースの内部空間につながる開口から給電線が外部に伸び出しており、開口は、給電端子のみ挿入可能であって給電線が通らない幅狭部を有しているので、給電線を曲げても、給電線は幅狭部まで動いて移動することができず、結果的に、給電線の移動を止めることができ、外部リード棒と給電端子の接続点に応力がかからず、外部リード棒から給電端子が外れることを防止できる。
さらには、外部リードと給電端子が溶接された構造の場合は、外部リード棒から給電端子が外れることを防止できる。
さらには、外部リードと給電端子がかしめられた構造の場合は、外部リード棒から給電端子が外れることを防止できる。
さらには、給電線が給電端子に溶接された構造の場合は、給電線が給電端子から外れることを防止できる。
さらには、給電線が給電端子にかしめられた構造の場合は、給電線が給電端子から外れることを防止できる。
【図面の簡単な説明】
【００１９】
【図１】本発明のランプ装置の構造説明図である。
【図２】図１の断面図である。
【図３】図１に示すランプ装置であって、給電線がベースから伸び出す方向から見たベースの端面側の斜視図である。
【図４】本願発明のランプ装置のベースの他の実施形態を説明する正面図である。
【図５】本願発明のランプ装置のベースの他の実施形態を説明する正面図である。
【図６】本願発明のランプ装置のベースの他の実施形態を説明する正面図である。
【図７】本願発明のランプ装置のベースの他の実施形態を説明する正面図である。
【図８】外部リード棒と給電端子をかしめにより接続した構造の本願発明のランプ装置の説明図である。
【図９】給電端子４と給電線５を溶接により接続した構造の本願発明のランプ装置の説明図である。
【図１０】従来のランプ装置の構造説明図である。
【図１１】図１０の断面図である。
【図１２】図１０に示すランプ装置であって、給電線がベースから伸び出す方向から見たベースの端面側の斜視図である。
【発明を実施するための形態】
【００２０】
図１は、本願発明のランプ装置の構成を示す説明図である。図２は、図１の断面図である。
本願発明のランプ装置は、封止部１１から外部リード棒２が突出した２本の白熱ランプ１が互いに平行に配置されており、白熱ランプ１の封止部１１に取り付けられたベース３によって互いの白熱ランプが連結されており、ぞれぞれの白熱ランプ１の同一方向に位置する外部リード棒２が共通する給電端子４に接続され、給電端子４には給電線５がかしめられて接続された構造である。
【００２１】
ベース３は、外部リード棒２が突出する封止部１１の端面に対向した位置に隔壁３１が形成されており、この隔壁３１には、外部リード棒２が貫通する外部リード棒貫通孔３２が形成されている。
さらに、ベース３は、給電端子４および給電端子４に接続された給電線５を包含する内部空間３３を有し、外部リード棒２は、この外部リード棒貫通孔３２を貫通して内部空間３３に伸び出しており、外部リード棒２と給電端子４が重なる位置に対応するベースの側面に接続用貫通孔３４が形成されている。
さらに、ベース３は、内部空間３３につながるベース４の端面に、給電端子４と給電線５を内部空間３３に挿入する開口３５が形成されている。
【００２２】
そして、外部リード棒２と給電端子４を重ねた状態で、接続用貫通孔３４の上下から溶接棒を挿入し、外部リード棒２と給電端子４を溶接して、白熱ランプ１にベースを３取り付けるものである。
【００２３】
図３は、図１に示すランプ装置であって、給電線５がベース３から伸び出す方向から見たベースの端面側の斜視図である。
図３では、ベース３の端面には、内部空間３３につながる開口３５が形成されており、この開口３５を利用して、給電端子４と給電線５がベース内に挿入される。
開口３５は、給電端子４の厚みより僅かに広く給電線５の外径より狭い幅狭部３５ａと、給電線の外形より大きく給電線を通す給電線導出部３５ｂを有するものである。
この幅狭部３５は、給電端子４のみ挿入可能であって給電線５が通らない形状である。
【００２４】
給電端子４に給電線５が接続された組立体は、開口３５の幅狭部３５ａに給電端子４が位置し、開口３５の給電線導出部３５ｂに給電線５が位置するようにして、組立体をベース３内に挿入する。
そして、外部リード棒２と給電端子４を重ねた状態にして、接続用貫通孔３４を利用して外部リード棒２と給電端子４を溶接して接続するものである。
【００２５】
このようなランプ装置によれば、給電線５を曲げても、給電線５は給電線導出部３５ｂの開口縁に当たり、幅狭部３５ａまで動いて移動することがないので、外部リード棒２と給電端子４の溶接点に応力がかからず、外部リード棒２から給電端子４が外れることがないものである。
【００２６】
次に、ベースの開口形状が異なる他の実施例を図４〜図７を用いて説明する。
それぞれの図は、ベースの開口を正面から見た平面図であり、給電線は省略している。
図４のベース３では、開口３５の幅狭部３５ａの一方の端部に、給電線導出部３５ｂが形成されている。
この場合、給電線５は、給電端子４の中心より、一方の端に寄った位置に接続されている。
図４に示す開口３５では、給電線５は給電線導出部３５ｂから外部に伸び出し、給電線５は給電線導出部３５ｂの開口縁に当たり、幅狭部３５ａまで動いて移動することがないので、外部リード棒２と給電端子４の溶接点に応力がかからず、外部リード棒２から給電端子４が外れることがないものである。
【００２７】
図５のベース３では、開口３５の給電線導出部３５ｂは、幅狭部３５ａの中心に形成されており、幅狭部３５ａの両端は開口径が広がった拡開部３５ｃとなっている。
給電線５が給電端子４の中心より、一方の端に寄った位置に接続された組立体の場合には、この拡開部３５ｃが給電線導出部３５ｂを兼ねるものである。
図５に示す開口３５では、給電線５は給電線導出部３５ｂから外部に伸び出し、給電線５は給電線導出部３５ｂの開口縁に当たり、幅狭部３５ａまで動いて移動することがないので、外部リード棒２と給電端子４の溶接点に応力がかからず、外部リード棒２から給電端子４が外れることがないものである。
【００２８】
なお、図５では、給電線導出部３５ｂの中心が、ベース３の端面の中心点Pと一致しているので、給電端子４に給電線５が接続された組立体をベースに挿入する際に、給電端子４の平面がベース３の上方下方どちらに向いても挿入することができる。
図３に示す構造の場合も同様である。
【００２９】
図６のベース３では、開口３５の給電線導出部３５ｂは、幅狭部３５ａの中心に形成されており、幅狭部３５ａは、ベース３の上下方向の中心軸Ａと一致する位置に形成されている。
図６に示す開口３５では、給電線５は給電線導出部３５ｂから外部に伸び出し、給電線５は給電線導出部３５ｂの開口縁に当たり、幅狭部３５ａまで動いて移動することがないので、外部リード棒２と給電端子４の溶接点に応力がかからず、外部リード棒２から給電端子４が外れることがないものである。
また、幅狭部３５ａは、ベース３の上下方向の中心軸Ａと一致する位置に形成されているので、給電端子４は、ベース３の上下方向の中心軸位置に位置することになり、白熱ランプの管軸とベースの上下方向の中心軸を合わせることができる。
【００３０】
図７のベース３では、開口３５の給電線導出部３５ｂは、幅狭部３５ａの一方の端部に形成されており、幅狭部３５ａは、ベース３の上下方向の中心軸Ａと一致する位置に形成されている。
図７に示す開口３５では、給電線５は給電線導出部３５ｂから外部に伸び出し、給電線５は給電線導出部３５ｂの開口縁に当たり、幅狭部３５ａまで動いて移動することがないので、外部リード棒２と給電端子４の溶接点に応力がかからず、外部リード棒２から給電端子４が外れることがないものである。
また、幅狭部３５ａは、ベース３の上下方向の中心軸Ａと一致する位置に形成されているので、給電端子４は、ベース３の上下方向の中心軸位置に位置することになり、白熱ランプの管軸とベースの上下方向の中心軸を合わせることができる。
【００３１】
図８は、外部リード棒と給電端子をかしめにより接続した構造の本願発明のランプ装置の説明図である。
給電端子４は外部リード棒２と重なる位置に、押圧によって変形する押圧変形部（かしめ部）ｅを有しており、この位置で、押圧変形部ｅを変形させることにより、外部リード棒２と給電端子４をかしめによって接続した構造である。
このような構造であっても、図１から図７に示す構造のベース３を用いて、給電線５を給電線導出部３５ｂからベースの外部に導出すれば、給電線５を曲げても、給電線５は給電線導出部３５ｂの開口縁に当たり、幅狭部３５ａまで動いて移動することがないので、外部リード棒２と給電端子４のかしめ部ｅに応力がかからず、外部リード棒２から給電端子４が外れることがないものである。
【００３２】
図９は、給電端子４と給電線５を溶接により接続した構造の本願発明のランプ装置の説明図である。
給電線５は給電端子４と重なる位置で、溶接により接続した構造である。図中、ｆは溶接点である。
このような構造であっても、図１から図７に示す構造のベース３を用いて、給電線５を給電線導出部３５ｂからベースの外部に導出すれば、給電線５を曲げても、給電線５は給電線導出部３５ｂの開口縁に当たり、幅狭部３５ａまで動いて移動することがないので、給電端子４と給電線５の溶接点ｆに応力がかからず、給電端子４から給電線５が外れることがないものである。
【符号の説明】
【００３３】
１      白熱ランプ
２      外部リード棒
３      ベース
３１    隔壁
３２    外部リード棒貫通孔
３３    内部空間
３４    接続用貫通孔
３５    開口
３５ａ  幅狭部
３６ｂ  給電線導出部
４      給電端子
５      給電線
【図１】
0005471546.tif 000002
【図２】
0005471546.tif 000003
【図３】
0005471546.tif 000004
【図４】
0005471546.tif 000005
【図５】
0005471546.tif 000006
【図６】
0005471546.tif 000007
【図７】
0005471546.tif 000008
【図８】
0005471546.tif 000009
【図９】
0005471546.tif 000010
【図１０】
0005471546.tif 000011
【図１１】
0005471546.tif 000012
【図１２】
0005471546.tif 000013